(57)【特許請求の範囲】
【請求項１】
インターネット上のページを検索する関連指向検索サービス方法において、
サーバが、利用者端末から、関連識別子と基準ページを引数として当該基準ページに対する関連ページ群取得リクエストを受信する過程と、
当該基準ページから当該関連識別子の関連ページ群を取得する過程と、
取得された関連ページ群を上記利用者端末に送信する過程とを有し、
前記関連識別子が共引用１の時には、当該基準ページからリンクしているページ群を求め、当該ページ群の各ページに関して、当該ページにリンクしているページ群を求め、
当該ページ群間の集合和を求め、当該ページ群を当該基準ページとの共通リンク数でソートすることを特徴とする関連指向検索サービス方法。
【請求項２】
インターネット上のページを検索する関連指向検索サービス方法において、
サーバが、利用者端末から、関連識別子と基準ページを引数として当該基準ページに対する関連ページ群取得リクエストを受信する過程と、
当該基準ページから当該関連識別子の関連ページ群を取得する過程と、
取得された関連ページ群を上記利用者端末に送信する過程とを有し、
前記関連識別子が共引用２の時には、当該基準ページにリンクしているページ群を求め、
当該ページ群の各ページに関して、当該ページがリンクしているページ群を求め、当該ページ群間の集合和を求め、当該ページ群を当該基準ページとの共通リンク数でソートすることを特徴とする関連指向検索サービス方法。
【請求項３】
インターネット上のページを検索する関連指向検索サービス方法において、
サーバが、利用者端末から、関連識別子と基準ページを引数として当該基準ページに対する関連ページ群取得リクエストを受信する過程と、
当該基準ページから当該関連識別子の関連ページ群を取得する過程と、
取得された関連ページ群を上記利用者端末に送信する過程とを有し、
前記関連識別子が周辺１の時には、当該基準ページからリンクしているページ群を求め、当該ページ群の各ページに関して、当該ページからリンクしているページ群を求め、当該ページ群間の集合和を求め、当該ページ群を基準ページからのリンクホップ数でソートすることを特徴とする関連指向検索サービス方法。
【請求項４】
インターネット上のページを検索する関連指向検索サービス方法において、
サーバが、利用者端末から、関連識別子と基準ページを引数として当該基準ページに対する関連ページ群取得リクエストを受信する過程と、
当該基準ページから当該関連識別子の関連ページ群を取得する過程と、
取得された関連ページ群を上記利用者端末に送信する過程とを有し、
前記関連識別子が周辺２の時には、当該基準ページをリンクしているページ群を求め、
当該ページ群の各ページに関して、当該ページをリンクしているページ群を求め、当該ページ群間の集合和を求め、当該ページ群を当該基準ページへの被リンクホップ数でソートすることを特徴とする関連指向検索サービス方法。
【請求項５】
インターネット上のページを検索する関連指向検索サービス方法において、
サーバが、利用者端末から、関連識別子と基準ページを引数として当該基準ページに対する関連ページ群取得リクエストを受信する過程と、
当該基準ページから当該関連識別子の関連ページ群を取得する過程と、
取得された関連ページ群を上記利用者端末に送信する過程とを有し、
前記関連識別子が移動１の時には、当該基準ページをクリックしたユーザ端末が、次にクリックしているページ群を求め、当該ページ群を、当該基準ページから移動しているユーザ数でソートすることを特徴とする関連指向検索サービス方法。
【請求項６】
インターネット上のページを検索する関連指向検索サービス方法において、
サーバが、利用者端末から、関連識別子と基準ページを引数として当該基準ページに対する関連ページ群取得リクエストを受信する過程と、
当該基準ページから当該関連識別子の関連ページ群を取得する過程と、
取得された関連ページ群を上記利用者端末に送信する過程とを有し、
前記関連識別子が移動２の時には、当該基準ページをクリックしたユーザ端末が、前にクリックしているページ群を求め、当該ページ群を、当該基準ページに移動してきたユーザ数でソートすることを特徴とする関連指向検索サービス方法。
【請求項７】
インターネット上のページを検索する関連指向検索サービス方法において、
サーバが、利用者端末から、関連識別子と基準ページを引数として当該基準ページに対する関連ページ群取得リクエストを受信する過程と、
当該基準ページから当該関連識別子の関連ページ群を取得する過程と、
取得された関連ページ群を上記利用者端末に送信する過程とを有し、
前記関連識別子が協調の時には、当該基準ページをクリックしたユーザ群を求め、
当該ユーザ群の各ユーザ端末が、クリックしたページ群を求め、当該ページ群間の集合和を求め、当該ページ群を、共通にクリックしたユーザ数でソートすることを特徴とする関連指向検索サービス方法。
【請求項８】
請求項１ないし請求項７のうちのいずれかに記載の関連指向検索サービス方法の各処理手順をプログラムに変換し、該プログラムを記録したことを特徴とするコンピュータで読み出し可能な記録媒体。
【発明の詳細な説明】
【０００１】
【発明の属する技術分野】
本発明は、インターネット上の検索エンジンにおいて、キーワードとの一致度以外の関連情報を用い、検索結果の任意のページを基準として関連するページ群を次の検索結果として提示することが可能な関連指向検索サービス方法およびそのプログラムを記録した記録媒体に関する。
【０００２】
【従来の技術】
検索エンジンは、インターネット上のＷＷＷページ（以下、単にページ）を検索する時に利用されるシステムであって、従来の検索エンジンに対してユーザがキーワードを入力すると、検索エンジンは当該キーワードを含むページを返却している。しかし、検索のためにインターネット上の検索エンジンに投入されるキーワードは曖昧で高々２個程度であることが知られており、インターネット上の検索エンジンから返送されるページ群から、利用者が意中のページを発見することは極めて困難であった。
【０００３】
従来、検索エンジンにおいて、検索結果である複数のページから類似度の高いページを探す技術としては、例えば、Ｒｏｎ  Ｗｅｉｓｓ，Ｂｉｅｎｖｅｎｉｄｏ  Ｖｅｌｅｚ，Ｍａｒｋ  Ａ．Ｓｈｅｌｄｏｎ，Ｃｈａｎａｔｈｉｐ  Ｍａｎｐｒｅｍｐｒｅ，ｐｅｔｅｒ  Ｓｚｉｌａｇｙｉ，Ａｎｄｒｚｅｉ  ＤａｖｉｄＫ．Ｇｉｆｆｏｒｄ．ＨｙＰｕｒｓｕｉｔ：Ａ  Ｈｉｅｒａｒｃｈｉｃａｌ  Ｎｅｔｗｏｒｋ  Ｓｅａｒｃｈ  Ｅｎｇｉｎｅ  ｔｈａｔ  Ｅｘｐｌｏｉｔｓ  Ｃｏｎｔｅｎｔ−Ｌｉｎｋ  Ｈｙｐｅｒｔｅｘｔ  Ｃｌｕｓｔｅｒｉｎｇ．Ｐｒｏｃｅｅｄｉｎｇｓｏｆ  ｔｈｅ  ７ｔｈ  ＡＣＭ  Ｃｏｎｆｅｒｅｎｃｅ  ｏｎＨｙｐｗｅｒｔｅｘｔ，Ｎｅｗ  Ｙｏｒｋ（１９９６）がある。
【０００４】
【発明が解決しようとする課題】
このように、従来の技術では、インターネット上の検索エンジンから返却されるページ群から、利用者が意中のページを発見することは極めて困難であるという問題があった。すなわち、適切なキーワードを用いて検索を要求しても、検索エンジンから返却されるキーワードに一致するページは複数の場合が多く、その中から自分の希望するページを探す必要があり、この時間や労力は想像以上のものである。また、上記外国文献には、検索された複数ページから類似度の高いものを探す技術が提案されているが、この技術で利用者の意中のページを自動的に探すことは不可能であり、結局は、ユーザ自身が関連するものの観点から検索結果を吟味する必要があった。
【０００５】
そこで、本発明の目的は、これら従来の課題を解決し、キーワードとの一致度以外の関連情報を用いて、検索結果の任意のページを基準として基準ページと関連するページ群を次の検索結果として提示することで、検索結果を吟味することが可能な関連指向検索サービス方法およびそのプログラムを記録した記録媒体を提供することにある。
【０００６】
【課題を解決するための手段】
上記目的を達成するため、本発明の関連指向検索サービス方法は、インターネット上のページを検索する関連指向検索サービス方法において、サーバが、利用者端末から、関連識別子と基準ページを引数として当該基準ページに対する関連ページ群取得リクエストを受信する過程と、当該基準ページから当該関連識別子の関連ページ群を取得する過程と、
取得された関連ページ群を上記利用者端末に送信する過程とを有し、前記関連識別子が共引用１の時には、当該基準ページからリンクしているページ群を求め、当該ページ群の各ページに関して、当該ページにリンクしているページ群を求め、当該ページ群間の集合和を求め、当該ページ群を当該基準ページとの共通リンク数でソートすることを特徴としている。
【０００７】
(2)また、インターネット上のページを検索する関連指向検索サービス方法において、サーバが、利用者端末から、関連識別子と基準ページを引数として当該基準ページに対する関連ページ群取得リクエストを受信する過程と、当該基準ページから当該関連識別子の関連ページ群を取得する過程と、取得された関連ページ群を上記利用者端末に送信する過程とを有し、前記関連識別子が共引用２の時には、当該基準ページにリンクしているページ群を求め、当該ページ群の各ページに関して、当該ページがリンクしているページ群を求め、当該ページ群間の集合和を求め、当該ページ群を当該基準ページとの共通リンク数でソートすることも特徴としている。
【０００８】
(3)また、インターネット上のページを検索する関連指向検索サービス方法において、サーバが、利用者端末から、関連識別子と基準ページを引数として当該基準ページに対する関連ページ群取得リクエストを受信する過程と、当該基準ページから当該関連識別子の関連ページ群を取得する過程と、取得された関連ページ群を上記利用者端末に送信する過程とを有し、前記関連識別子が周辺１の時には、当該基準ページからリンクしているページ群を求め、当該ページ群の各ページに関して、当該ページからリンクしているページ群を求め、当該ページ群間の集合和を求め、当該ページ群を基準ページからのリンクホップ数でソートすることも特徴としている。
【０００９】
(4)また、インターネット上のページを検索する関連指向検索サービス方法において、サーバが、利用者端末から、関連識別子と基準ページを引数として当該基準ページに対する関連ページ群取得リクエストを受信する過程と、当該基準ページから当該関連識別子の関連ページ群を取得する過程と、取得された関連ページ群を上記利用者端末に送信する過程とを有し、前記関連識別子が周辺２の時には、当該基準ページをリンクしているページ群を求め、当該ページ群の各ページに関して、当該ページをリンクしているページ群を求め、当該ページ群間の集合和を求め、当該ページ群を当該基準ページへの被リンクホップ数でソートすることも特徴としている。
【００１０】
(5)また、インターネット上のページを検索する関連指向検索サービス方法において、サーバが、利用者端末から、関連識別子と基準ページを引数として当該基準ページに対する関連ページ群取得リクエストを受信する過程と、当該基準ページから当該関連識別子の関連ページ群を取得する過程と、取得された関連ページ群を上記利用者端末に送信する過程とを有し、前記関連識別子が移動１の時には、当該基準ページをクリックしたユーザ端末が、次にクリックしているページ群を求め、当該ページ群を、当該基準ページから移動しているユーザ数でソートすることも特徴としている。
【００１１】
(6)また、インターネット上のページを検索する関連指向検索サービス方法において、サーバが、利用者端末から、関連識別子と基準ページを引数として当該基準ページに対する関連ページ群取得リクエストを受信する過程と、当該基準ページから当該関連識別子の関連ページ群を取得する過程と、取得された関連ページ群を上記利用者端末に送信する過程とを有し、前記関連識別子が移動２の時には、当該基準ページをクリックしたユーザ端末が、前にクリックしているページ群を求め、当該ページ群を、当該基準ページに移動してきたユーザ数でソートすることも特徴としている。
【００１２】
(7)また、インターネット上のページを検索する関連指向検索サービス方法において、サーバが、利用者端末から、関連識別子と基準ページを引数として当該基準ページに対する関連ページ群取得リクエストを受信する過程と、当該基準ページから当該関連識別子の関連ページ群を取得する過程と、取得された関連ページ群を上記利用者端末に送信する過程とを有し、前記関連識別子が協調の時には、当該基準ページをクリックしたユーザ群を求め、当該ユーザ群の各ユーザ端末が、クリックしたページ群を求め、当該ページ群間の集合和を求め、当該ページ群を、共通にクリックしたユーザ数でソートすることも特徴としている。
【００１３】
(8)また、(1)ないし(7)のいずれかに記載された関連指向検索サービス方法の各処理手順をプログラムに変換し、そのプログラムを記録したことも特徴としている。
【００１６】
【発明の実施の形態】
以下、本発明の原理および実施例を、図面により詳細に説明する。
（原理）
図１８は、本発明が適用されるビジネスモデルの説明図である。
図１８において、１０はユーザ（例えば、検索サービス要求者）、１５はＷＷＷサービス提供者（例えば、検索エンジン）、１６はＷＷＷメタ情報提供者（例えば、データの取得先、格納場所等のデータを管理するための情報を提供する者で、ＮＴＴなどが含まれる）である。
従来においては、ＷＷＷサービス提供者１５からユーザ１０に対して、ＷＷＷサービス（例えば、検索サービス）および広告が提供され、ＷＷＷサービス提供者１５は広告収入を得るというビジネスモデルであった。ＷＷＷサービス提供者１５が検索エンジンの場合には、検索サービスの料金を受け取るのは勿論である。
【００１７】
これに対して、本発明においては、ＷＷＷサービス提供者１５は、ＷＷＷメタ情報提供者１６からＷＷＷメタ情報（本発明では、あるページに関連があるページ群）を取得し、当該ＷＷＷメタ情報に対する料金をＷＷＷメタ情報提供者１６がＷＷＷサービス提供者１５から受け取るというビジネスモデルである。
すなわち、▲１▼ユーザ１０からリクエストがあると（例えば、関連ページ取得リクエスト）、▲２▼ＷＷＷサービス提供者１５はＷＷＷメタ情報提供者１６に関連ページ群取得リクエストを行い、▲３▼ＷＷＷメタ情報提供者１６はメタ情報として関連ページ群をＷＷＷサービス提供者１５に送信する。▲４▼ＷＷＷサービス提供者１５はこれに対してＷＷＷメタ情報提供者１６に料金を支払う。▲５▼ＷＷＷサービス提供者１５は、ユーザ１０に対してＷＷＷサービスとして、関連ページ群を送信する。
【００１８】
（実施例）
（装置構成）
図１は、本発明の一実施例を示す関連指向検索サービス装置の構成図である。
図１に示すように、インターネット４０には各利用者により利用される利用者端末１０Ａ，１０Ｂ，１０Ｃが接続されるとともに、検索サービス提供者により提供され、検索エンジンを内蔵した検索サーバ２０が接続される。ここまでは、従来の構成と同じであるが、本発明においては、これに加えて関連提供者により提供される関連サーバ３０が新たにインターネット４０に接続されている。関連サーバ３０には、関連データベース３１が接続される。
【００１９】
関連サーバ３０は、複数の検索結果が返却された利用者端末１０Ａ〜１０Ｃから、検索結果に対して関連識別子と基準ページを引数として、該基準ページに対する関連ページ群取得リクエストがインターネット４０を介して検索サーバ２０に発行された場合、検索サーバ２０から関連サーバ３０に対してインターネット４０を介して関連ページ群取得リクエストを発行する。
関連サーバ３０は、関連データベース３１を検索して当該基準ページに対する関連ページ群を取得し、インターネット４０を介して検索サーバ２０に返却する。関連データベース３１には、関連サーバ３０が予めインターネット上の各ページを基準ページとした場合の関連ページを計算して登録しておく。しかし、インターネット上のページは毎日増加するので、リクエストが発行された対象の基準ページに関して、関連データベース３１に関連ページが登録されていなかった場合には、関連サーバ３０はインターネット４０上の当該基準ページから関連ページ群を計算し、それらの関連ページ群を検索サーバ２０に返却する。
【００２０】
図２０は、図１における関連指向検索サービス装置の詳細ブロック図である。
利用者端末装置１０は、ユーザが任意のページから次のページにリクエストすることにより移動する動作を行うページ移動手段１１と、キーワードを引数として検索リクエストを検索サービス提供装置（検索サーバ）２０に対して送信した後、再度、関連識別子と基準ページを引数として該基準ページに対する関連ページ群取得リクエストを検索サービス提供装置（検索サーバ）２０に対して発行する要求結果送信手段１４と、検索サービス提供装置２０から最初の検索リクエストの検索結果および関連ページ群取得リクエストの要求結果を受信する要求受信手段１２と、これらに必要な操作を実行する操作実行手段１３とを備えている。
【００２１】
検索サービス提供装置（検索サーバ）２０は、キーワードを含むページを選定する検索手段２１と、利用者端末１０から関連ページ群取得リクエストが発行された場合、これを受信するとともに、関連提供装置３０から関連ページ群が送られた場合、これも受信する要求受信手段２２と、関連提供装置（関連サーバ）３０に対して関連ページ群取得リクエストを発行するとともに、関連提供装置３０から送られた関連ページ群を要求した利用者端末装置１０に送信する要求結果送信手段２４と、これらに必要な操作を実行する操作実行手段２３とを備えている。
【００２２】
関連提供装置（関連サーバ）３０は、関連データベース装置３１を検索して、基準ページに対する関連ページ群を取得する関連ページ群取得手段３６と、関連ページ群に対する料金の課金を行う関連ページ群課金手段３５と、検索サービス提供装置２０からの関連ページ取得リクエストを受信する要求受信手段３２と、検索サービス提供装置２０に対して関連ページ群および課金情報を送信する要求結果送信手段３４と、これらに必要な操作を実行する操作実行手段３３とを備えている。
関連サーバ３０を運営する関連提供者は、関連ページ群課金手段３５により提供する関連ページ群に対する料金を課金する。このようにして、関連提供者は、検索サーバ２０を運営する検索サービス提供者から関連ページ群に対する料金を徴収するビジネスモデルを確立することができる。
【００２３】
（処理動作）
図１５および図１６は、一致度だけの検索の場合と関連識別子として共通被リンク数を追加した検索の場合の各検索結果例を示す図である。
図１において、利用者は利用者端末１０Ａ〜１０Ｃを介してインターネット４０を介して検索サーバ２０に対して検索リクエストを発行する。この場合は、従来の検索方法と同じ処理となる。この際、利用者はパラメタとしてＫＷ：花火を指定する。検索サービス提供者は、検索サーバ２０を介して当該花火を含むページを選定し、ページ情報（タイトル、概要、ＵＲＬ）および一致度を計算する。タイトルは『花火』に関する題名、概要は『花火』の内容の概略説明、ＵＲＬは『プロトコル名／サーバ名／ファイル名』である。ＷＷＷブラウザは、ＵＲＬを指定する機能を備えている。検索サービス提供者は、検索サーバ２０を介して一致度順にソートされた図１５に示す検索結果例を利用者端末１０Ａ〜１０Ｃに返却する。
図１５では、ページ内に『花火』と一致する用語が９９存在するページを先頭に、８８、７７、６６の順にソートされたＵＲＬ群を利用者端末に返却している。
【００２４】
次に、利用者は、利用者端末１０Ａ〜１０Ｃを介して検索サーバ２０に対して図１５に示す検索結果のｈｔｔｐ：／／ｗｗｗ．ｈａｎａｂｉ３．ｃｏｍ／を基準ページとして、関連ページ群リクエストを発行する。この際に、利用者は、パラメタとして関連ＩＤ：共引用２および基準ページｈｔｔｐ：／／ｗｗｗ．ｈａｎａｂｉ３．ｃｏｍ／を指定する。例えば、これは、利用者が図６に示す検索サービスにおいて、検索結果３の〔そっくり〕ボタンを押下したことに対応する。検索サーバ２０は、当該関連ＩＤ：共引用２および当該基準ページ：ｈｔｔｐ：／／ｗｗｗ．ｈａｎａｂｉ３．ｃｏｍ／をパラメータとして、関連サーバ３０に対して、ＵＲＬ：ｈｔｔｐ：／／ｗｗｗ．ｈａｎａｂｉ３．ｃｏｍ／に関する関連ページ群の取得リクエストを発行する。
【００２５】
関連サーバ３０は、関連データベース３１を検索し、当該ＵＲＬ：ｈｔｔｐ：／／ｗｗｗ．ｈａｎａｂｉ３．ｃｏｍ／に関する関連ページ群例（図１６参照）を取得する。関連サーバ３０は、検索サーバ２０に対して図１６に示す関連ページ群例を返却し、当該関連ページ群取得リクエストに対する料金：１銭をマイクロペイメント技術により課金する。
検索サーバ２０は、図１６に示す関連ページ群を検索結果として利用者端末に返却する。
【００２６】
利用者端末には、図１６に示す検索結果が表示され、利用者に提示される。
利用者は、利用者端末１０Ａ〜１０Ｃのいずれかを介して、図１６に示す検索結果のページ：ｈｔｔｐ：／／ｗｗｗ．ｓｕｍｉｄａｇａｗａ−ｈａｎａｂｉ．ｃｏｍ／を選択し、当該ページに移動する。当該サービスにより、利用者は曖昧なＫＷ：花火から、隅田川の花火大会のページ：ｈｔｔｐ：／／ｗｗｗ．ｓｕｍｉｄａｇａｗａ−ｈａｎａｂｉ．ｃｏｍ／に到達することができる。
なお、本実施例では、従来の検索サービスにおいて説明したが、図１７に示すようなｘ，ｙ，ｚ軸の空間を有する３次元志向の検索サービスにおいても、全く同様である。
【００２７】
（表示画面例）
図６は、本発明を実行する場合の画面例を示す説明図である。
本発明を実行する際には、利用者端末の表示部に図６に示す画面が表示される。先ず、利用者は検索すべきパラメタとして、例えば『花火』を入力欄に入力し、右側の検索ボタンをクリックすると、『花火』に一致するページが一致度１〜１００の順にソートされた１００件が検索される。ここでは、ページ内に『花火』と一致する用語が９９存在するページを先頭（１番目）に、８８、７７、６６の順にソート（２，３，４番目）されたＵＲＬ群が下方に表示されている。
【００２８】
次に、利用者が右方に配置された〔まわり〕〔みんな〕〔そっくり〕〔なかま〕の各ボタンのうち〔そっくり〕ボタンをクリックすると、検索サーバ２０は、当該関連ＩＤ：共引用２および当該基準ページ：ｈｔｔｐ：／／ｗｗｗ．ｈａｎａｂｉ３．ｃｏｍ／をパラメータとして、関連サーバ３０に対して、ＵＲＬ：ｈｔｔｐ：／／ｗｗｗ．ｈａｎａｂｉ３．ｃｏｍ／に関する関連ページ群の取得リクエストを発行する。これにより、図１６に示すような関連ページ群が次に表示されることになる。
【００２９】
（関連指向検索サービス方法）
図２および図３は、本発明の一実施例を示す関連指向検索サービス方法の処理フローチャートである。
図２に示すように、関連指向検索サービス方法の処理では、先ず利用者は、従来と同じように、利用者端末およびネットワークを介して検索サーバに対して検索リクエストを発行する。この際に、利用者はパラメタとしてＫＷ（例として『花火』）を指定する（ステップ１０１）。次に、検索サービス提供者は、検索サーバを介して当該ＫＷを含むページを選定し、ページ情報（タイトル、概要、ＵＲＬ、一致度）を計算する。検索サービス提供者は、検索サーバを介して一致度順にソートした検索結果を利用者に返却する（ステップ１０２）。利用者端末には、当該検索結果が表示され、利用者に提示される。利用者が、利用者端末を介して当該検索結果の任意のページを選択した時には、当該ページに移動する（ステップ１０３）。
【００３０】
次に、利用者は、本発明の関連指向検索サービスを要求するため、利用者端末を介して当該検索結果の任意のページを基準ページとして、関連ページ群リクエストを発行した時には、検索サーバは下記の手順を実行する。この時、利用者はパラメータとして、関連ＩＤおよび基準ページを指定する（ステップ１０４）。
検索サーバは、当該関連ＩＤおよび当該基準ページをパラメータとして、関連サーバに対して、当該ＵＲＬに関する関連ページ群の取得リクエストを発行する（ステップ１０５）。
【００３１】
関連サーバは、関連データベースを検索し、当該ＵＲＬに関する関連ページ群を取得する。関連データベース上に当該ＵＲＬに関する関連ページが存在しない場合には、インターネット上のサイトにアクセスし、当該関連を計算する（なお、関連の計算方法については後述する）。関連サーバは、検索サーバに対して、当該関連ページ群を返却し、当該関連ページ群取得リクエストに対する料金を課金する。なお、関連サーバは、Ｗｅｂロボット技術や、Ｗｅｂプロキシ技術を利用して、Ｗｅｂ空間のリンク関係やユーザ履歴情報を収集する。（なお、関連サーバおよび関連データベースの詳細な方法は、特願２０００−８２１１１号明細書および図面を参照のこと）（ステップ１０６）。次に、検索サーバは、当該関連ページ群を検索結果として利用者に返却する（ステップ１０７）。
【００３２】
そして、新規検索か、あるいは終了であるかを判断して（ステップ１０８）、終了したならば、処理を終了し、新規検索であれば、ステップ１０１に戻って再度同じ処理（ステップ１０１〜１０７）を繰り返し行い、それ以外、つまり２回目以後の処理であれば、ステップ１０３に戻って同じ処理（ステップ１０３〜１０７）を繰り返し行う。
【００３３】
（関連ページ群の計算方法）
図４〜図６は、本発明の関連ページ群計算方法の処理フローチャートであり、図７〜図１３は、本発明の一実施例を示す関連の計算式を示す説明図である。
本実施例では、関連ＩＤとしては、『共引用１』，『共引用２』，『周辺１』，『周辺２』，『移動１』，『移動２』および『協調』の４分類と７種類を用いる。図６における〔まわり〕は『共引用』を指し、〔みんな〕は『周辺』を指し、〔そっくり〕は『移動』を指し、〔なかま〕は『協調』を指している。
【００３４】
（関連ＩＤ＝共引用１）
関連サーバは、関連ページ群取得リクエストを受信したならば（ステップ１１１）、関連ＩＤが共引用１の時、図７に示す計算方法に従って基準ページＸからリンクしているページ群（Ｙ１からＹ７）を求め、当該ページ群の各ページ（Ｙ１からＹ７）に関して、当該ページ（例：Ｙ１）にリンクしているページ群（例：Ｚ１）を求め、当該ページ群の集合和を求め、当該ページ群（Ｚ１からＺ４）を、基準ページＸとの共通リンク数（例：ＸとＺ２では２）でソートして、返却する（ステップ１１２）。
【００３５】
（関連ＩＤ＝共引用２）
次に、関連ＩＤが共引用２の時、図８に示す計算方法に従って基準ページＸにリンクしているページ群（Ｙ１からＹ７）を求め、当該ページ群の各ページ（Ｙ１からＹ７）に関して、当該ページ（例：Ｙ１）がリンクしているページ群（例：Ｚ１）を求め、当該ページ群の集合和を求め、当該ページ群（Ｚ１からＺ４）を、基準ページＸとの共通リンク数（例：ＸとＺ２では２）でソートして、返却する（ステップ１１３）。
このように、共引用１では、基準ページＸからおよび共引用のページ群Ｚからページ群Ｙがそれぞれリンクされているのに対して、共引用２では、基準ページＸおよび共引用のページ群Ｚが、ページ群Ｙからそれぞれリンクされている点のみが異なっている。
【００３６】
（関連ＩＤ＝周辺１）
次に、関連ＩＤが周辺１の時、図９に示す計算方法に従って、基準ページＸからリンクしているページ群（Ｙ１からＹ４）を求め、当該ページ群の各ページ（Ｙ１からＹ４）に関して、当該ページからリンクしているページ群（Ｚ１からＺ７）を求め、当該ページ群の集合和を求め、当該ページ群（Ｙ１からＹ４，Ｚ１からＺ７）を、基準ページＸからのリンクホップ数でソートして、返却する（ステップ１１４）。この場合、Ｙ１からＹ４のリンクホップ数＝１、ＺからＺ７のリンクホップ数＝２である。
【００３７】
（関連ＩＤ＝周辺２）
次に、関連ＩＤが周辺２の時、図１０に示す計算方法に従って、基準ページＸをリンクしているページ群（Ｙ１からＹ４）を求め、当該ページ群の各ページ（Ｙ１からＹ４）に関して、当該ページをリンクしているページ群（Ｚ１からＺ７）を求め、当該ページ群の集合和を求め、当該ページ群（Ｙ１からＹ４，Ｚ１からＺ７）を、基準ページＸへの被リンクホップ数でソートし、返却する（ステップ１１５）。この場合、Ｙ１からＹ４の被リンクホップ数＝１、Ｚ１からＺ７の被リンクホップ数＝２である。
【００３８】
（関連ＩＤ＝移動１）
次に、関連ＩＤが移動１の時、図１１に示す計算方法に従って、基準ページＸをクリックしたユーザが、次にクリックしているページ群（Ｙ１からＹ４）を求め、当該ページ群（Ｙ１からＹ４）を、基準ページＸから移動しているユーザ数でソートし、返却する（ステップ１１６）。この場合には、ユーザ数は４である。
【００３９】
（関連ＩＤ＝移動２）
次に、関連ＩＤが移動２の時、図１２に示す計算方法に従って、基準ページＸをクリックしたユーザが、前にクリックしているページ群（Ｙ１からＹ４）を求め、当該ページ群（Ｙ１からＹ４）を、基準ページＸに移動しているユーザ数でソートし、返却する（ステップ１１７）。この場合には、ユーザ数は４である。
【００４０】
（関連ＩＤ＝協調）
次に、関連ＩＤが協調の時には、図１３に示す計算方法に従って、基準ページＸをクリックしたユーザ群（Ｕ１からＵ７）を求め、当該ユーザ群の各ユーザ（Ｕ１からＵ４）が、クリックしたページ群（Ｚ１からＺ４）を求め、当該ページ群の集合和を求め、当該ページ群（Ｚ１からＺ４）を、共通にクリックしたユーザ数でソートし、返却する（ステップ１１８）。この場合には、共通にクリックしたユーザ数は４である。
【００４１】
（プログラム記録媒体）
図２〜図３に示す関連指向検索サービス方法および図４〜図５に示す関連ページ群計算方法の各処理ステップをプログラムに変換し、変換されたプログラムをＣＤ−ＲＯＭなどの記録媒体に格納しておくことで、この記録媒体をインターネットに接続された任意のコンピュータに装着し、プログラムをインストールするか、あるいはインターネットを介して他のコンピュータにダウンロードすることにより、それらのコンピュータで本発明を容易に実現することができる。
【００４２】
【発明の効果】
以上説明したように、本発明によれば、共引用１，２、周辺１，２、移動１，２および協調等のようなキーワードとの一致度以外に、任意のページを基準として、当該基準ページと関連するページ群をソートすることで、検索エンジンから返却されるページ群から利用者が意中のページを容易に発見することが可能となる。
【図面の簡単な説明】
【図１】本発明の一実施例を示す関連指向検索サービス装置の構成図である。
【図２】本発明の一実施例を示す関連指向検索サービス方法の処理フローチャート（１）である。
【図３】同じく関連指向検索サービス方法の処理フローチャート（２）である。
【図４】本発明の一実施例を示す関連ページ群計算方法（１）の処理フローチャートである。
【図５】同じく関連ページ群計算方法（２）の処理フローチャートである。
【図６】本発明の一実施例を示す関連指向検索サービス画面の図である。
【図７】図４における関連ＩＤが共引用１の時の計算方法を示す説明図である。
【図８】図４における関連ＩＤが共引用２の時の計算方法を示す説明図である。
【図９】図４における関連ＩＤが周辺１の時の計算方法を示す説明図である。
【図１０】図５における関連ＩＤが周辺２の時の計算方法を示す説明図である。
【図１１】図５における関連ＩＤが移動１の時の計算方法を示す説明図である。
【図１２】図５における関連ＩＤが移動２の時の計算方法を示す説明図である。
【図１３】図５における関連ＩＤが協調の時の計算方法を示す説明図である。
【図１４】図１の関連指向検索サービス装置の詳細構成図である。
【図１５】従来におけるソートされた検索結果例を示す図である。
【図１６】本発明におけるソートされた検索結果例を示す図である。
【図１７】本発明の応用例を示す３次元検索サービス例の説明図である。
【図１８】本発明が適用されるビジネスモデルの説明図である。
【符号の説明】
１０Ａ〜１０Ｃ…利用者端末、２０…検索サーバ、３０…関連サーバ、
３１…関連データベース、４０…インターネット、
１１…ページ移動手段、１２，２２，３２…要求受信手段、
１３，２３，３３…操作実行手段、１４，２４，３４…要求結果送信手段、
３６…関連ページ群取得手段、３５…関連ページ群課金手段、
２１…検索手段。
【図１】
0003552665.tif 000002
【図２】
0003552665.tif 000003
【図３】
0003552665.tif 000004
【図４】
0003552665.tif 000005
【図５】
0003552665.tif 000006
【図６】
0003552665.tif 000007
【図７】
0003552665.tif 000008
【図８】
0003552665.tif 000009
【図９】
0003552665.tif 000010
【図１０】
0003552665.tif 000011
【図１１】
0003552665.tif 000012
【図１２】
0003552665.tif 000013
【図１３】
0003552665.tif 000014
【図１４】
0003552665.tif 000015
【図１５】
0003552665.tif 000016
【図１６】
0003552665.tif 000017
【図１７】
0003552665.tif 000018
【図１８】
0003552665.tif 000019